(57)【要約】      （修正有）【課題】測時法のための逆行表示機構を供給する。【解決手段】計時器表示機構は、第１の規模を表示する第１の表示部材のための少なくとも１つの第１の逆行駆動手段１０、及び第２の規模を表示する第２の表示部材のための第２の逆行駆動手段２０を含み、第１の逆行駆動手段１０は、第１の駆動ラック１２を含み、第１の駆動ラック１２は、第１の表示部材を駆動する第１の車セット上に、第１の戻しラック１７によって加えられる抵抗力とは反対の力を直接又は間接的に加え、第２の逆行駆動手段２０は、第２の駆動ラック２６を含み、第２の駆動ラック２６は、第２の表示部材を駆動する第２の車セット上に、第２の戻しラック２９によって加えられる抵抗力とは反対の力を直接又は間接的に加え、第１の駆動ラック１２の枢動軸及び第１の戻しラック１７の枢動軸は離れている、及び／又は第２の駆動ラック２６の枢動軸及び第２の戻しラック２９の枢動軸は離れている。【選択図】図１
2019158883.tif 000002
【特許請求の範囲】
【請求項１】
第１の規模を表示する第１の表示部材（１１）のための少なくとも１つの第１の逆行駆動手段（１０）、及び第２の規模を表示する第２の表示部材（２１）のための第２の逆行駆動手段（２０）を含む計時器表示機構（１００）であって、前記第１の逆行駆動手段（１０）は、第１の駆動ラック（１２）を含み、前記第１の駆動ラック（１２）は、前記第１の表示部材（１１）を駆動する第１の車セット（１６）上に、第１の戻しラック（１７）によって加えられる抵抗力とは反対の力を直接又は間接的に加えるように構成し、前記第２の逆行駆動手段（２０）は、第２の駆動ラック（２６）を含み、前記第２の駆動ラック（２６）は、前記第２の表示部材（２１）を駆動する第２の車セット（２１０）上に、第２の戻しラック（２９）によって加えられる抵抗力とは反対の力を直接又は間接的に加えるように構成する、計時器表示機構（１００）において、前記第１の駆動ラック（１２）の枢動軸は、前記第１の戻しラック（１７）の枢動軸から離れている、及び／又は前記第２の駆動ラック（２６）の枢動軸は、前記第２の戻しラック（２９）の枢動軸から離れていること、並びに前記第１の逆行駆動手段（１０）は、第１の傾斜部（３５）を含む第１のカム（３４）を含み、前記第１の傾斜部（３５）は、前記第１の表示部材（１１）の第１の駆動方向の動作行程で前記第１の駆動ラック（１２）内に含まれる第１の触腕（１４）を駆動するように構成し、前記第１のカム（３４）は、前記第１の傾斜部（３５）の最大直径部上に、境界部（３６）を含み、前記境界部（３６）の後に、前記第１の駆動ラック（１２）を分離する凹部（３７）が続き、前記境界部（３６）は、戻しトルクにより前記第１の触腕（１４）が前記傾斜部（３５）の最小直径部に戻ることを可能にするように構成し、前記戻しトルクは、前記第１の戻しラック（１７）の遊休戻し行程の間、前記第１の戻しラック（１７）によって前記第１の駆動ラック（１２）上に間接的に加えられること、並びに前記第１の逆行駆動手段（１０）は、前記第２の逆行駆動手段（２０）をクリック部により駆動するように構成し、前記クリック部は、駆動爪（１９）を支持し、前記駆動爪（１９）は、前記遊休戻し行程の間、入力車セット（２２）を駆動するように構成し、前記入力車セット（２２）は、前記第２の逆行駆動手段（２０）内に含まれることを特徴とする、計時器表示機構（１００）。
【請求項２】
前記第１のカム（３４）は、駆動車セット（３０）から駆動し、前記駆動車セット（３０）は、ムーブメント（５００）によって駆動するように構成するか、又はムーブメント（５００）内に含まれることを特徴とする、請求項１に記載の計時器表示機構（１００）。
【請求項３】
前記第１のカム（３４）は、列を介して前記駆動車セット（３０）から駆動し、前記列は、前記第１の表示部材（１１）の位置の調節を可能にするように構成した少なくとも１つの摩擦接続部を含むことを特徴とする、請求項２に記載の計時器表示機構（１００）。
【請求項４】
前記第１の戻しラック（１７）は、前記駆動爪（１９）を支持し、前記駆動爪（１９）は、枢動し、戻しばね（４３）からトルクを受け、前記戻しばね（４３）は、前記第１の戻しラック（１７）に固定し、前記駆動爪（１９）は、星車を駆動するように構成し、前記星車は、前記入力車セット（２２）内に含まれ、前記第２の逆行駆動手段（２０）内に含まれる第２のカム（２３）を駆動回転するように構成することを特徴とする、請求項１に記載の計時器表示機構（１００）。
【請求項５】
前記第２のカム（２３）は、第２の傾斜部を含み、前記第２の傾斜部は、前記第２の表示部材（１２）の第１の駆動方向の動作行程で前記第２の駆動ラック（２６）内に含まれる第２の触腕（２７）を駆動するように構成し、前記第２のカム（２３）は、前記第２の傾斜部の最大直径部上に、境界部（２４）を含み、前記境界部（２４）の後に、前記第２の駆動ラック（２６）を分離する凹部（２５）が続き、前記境界部（２４）は、戻しトルクにより前記第２の触腕（２７）が前記傾斜部（３５）の最小直径部に戻ることを可能にするように構成し、前記戻しトルクは、前記第１の戻しラック（１７）の遊休戻し行程の間、前記第１の戻しラック（１７）によって前記第１の駆動ラック（１２）上に間接的に加えられること、並びに前記第１の逆行駆動手段（１０）は、前記駆動爪（１９）によって前記第２の逆行駆動手段（２０）を駆動するように構成し、前記駆動爪（１９）は、前記遊休戻し行程の間、前記入力車セット（２２）に結合し、前記動作行程の間、前記入力車セット（２２）から分離されることを特徴とする、請求項１に記載の計時器表示機構（１００）。
【請求項６】
前記第２のカム（２３）は、前記第２の傾斜部が平滑なスネイル・カムであることを特徴とする、請求項５に記載の計時器表示機構（１００）。
【請求項７】
前記第２のカム（２３）の前記第２の傾斜部は、前記第２の規模の各単位のための段を有する段付きカムであることを特徴とする、請求項５に記載の計時器表示機構（１００）。
【請求項８】
前記第１の駆動ラック（１２）は、前記第１の車セット（１６）上に、第１の中間逆転器（１５）を介して、前記第１の戻しラック（１７）によって前記第１の車セット（１６）上に直接加えられる抵抗力とは反対の力を間接的に加えるように構成し、前記第１の中間逆転器（１５）は、前記第１の車セット（１６）と嵌合すること、又は前記第１の駆動ラック（１２）は、前記第１の車セット（１６）上に、第１の中間戻し逆転器を介して前記第１の車セット（１６）上に間接的に加えられる抵抗力とは反対の力を直接加えるように構成し、前記第１の中間戻し逆転器は、前記第１の戻しラック（１７）を介して前記第１の車セット（１６）と嵌合することを特徴とする、請求項１に記載の計時器表示機構（１００）。
【請求項９】
前記第２の駆動ラック（２６）は、前記第２の車セット（２１０）上に、第２の中間逆転器を介して、前記第２の戻しラック（２９）によって前記第２の車セット（２１０）上に直接加えられる抵抗力とは反対の力を間接的に加えるように構成し、前記第２の中間逆転器は、前記第２の車セット（２１０）と嵌合すること、又は前記第２の駆動ラック（２６）は、前記第２の車セット（２１０）上に、第２の中間戻し逆転器を介して前記第２の車セット（２１０）上に間接的に加えられる抵抗力とは反対の力を直接加えるように構成し、前記第２の中間戻し逆転器は、前記第２の戻しラック（２９）を介して前記第２の車セット（２１０）と嵌合することを特徴とする、請求項１に記載の計時器表示機構（１００）。
【請求項１０】
前記第１の駆動ラック（１２）の枢動軸（Ｄ１）は、前記第１の戻しラック（１７）の枢動軸（Ｄ６）から離れていること、及び前記第１の車セット（１６）の枢動軸は、前記第１の駆動ラック（１２）の枢動軸（Ｄ１）と前記第１の戻しラック（１７）の枢動軸（Ｄ６）との間に位置することを特徴とする、請求項１に記載の計時器表示機構（１００）。
【請求項１１】
前記第１の駆動ラック（１２）は、前記第１の車セット（１６）上に、第１の中間逆転器（１５）を介して、前記第１の戻しラック（１７）によって前記第１の車セット（１６）上に直接加えられる抵抗力とは反対の力を間接的に加えるように構成し、前記第１の中間逆転器（１５）は、前記第１の車セット（１６）と嵌合すること、並びに前記第１の中間逆転器（１５）の枢動軸（Ｄ５）は、前記第１の駆動ラック（１２）の枢動軸（Ｄ１）と前記第１の戻しラック（１７）の枢動軸（Ｄ６）との間に位置することを特徴とする、請求項１０に記載の計時器表示機構（１００）。
【請求項１２】
前記第２の駆動ラック（２６）の枢動軸は、前記第２の戻しラック（２９）の枢動軸から離れていること、及び前記第２の車セット（２１０）の枢動軸は、前記第２の駆動ラック（２６）の枢動軸と前記第２の戻しラック（２９）の枢動軸との間に位置することを特徴とする、請求項１に記載の計時器表示機構（１００）。
【請求項１３】
前記第２の駆動ラック（２６）は、前記第２の車セット（２１０）上に、第２の中間逆転器を介して、前記第２の戻しラック（２９）によって前記第２の車セット（２１０）上に直接加えられる抵抗力とは反対の力を間接的に加えるように構成し、前記第２の中間逆転器は、前記第２の車セット（２１０）と嵌合すること、並びに前記第２の中間逆転器の枢動軸は、前記第２の駆動ラック（２６）の枢動軸と前記第２の戻しラック（２９）の枢動軸との間に位置することを特徴とする、請求項１２に記載の計時器表示機構（１００）。
【請求項１４】
前記第１の逆行駆動手段（１０）は、前記第１の表示部材（１１）の連続式逆行移動を制御するように構成すること、及び前記第２の逆行駆動手段（２０）は、前記第２の表示部材（１２）の跳躍逆行移動を制御するように構成することを特徴とする、請求項１に記載の計時器表示機構（１００）。
【請求項１５】
前記第１の戻しラック（１７）は、第１の押さえばね（４１）によって加えられる戻しトルクを永続的に受けること、及び第２の戻しラック（２９）は、第２の押さえばね（４７）によって加えられる戻しトルクを永続的に受けることを特徴とする、請求項１に記載の計時器表示機構（１００）。
【請求項１６】
前記第１の駆動ラック（１２）の枢動軸は、前記第１の戻しラック（１７）の枢動軸から離れており、前記第２の駆動ラック（２６）の枢動軸も、前記第２の戻しラック（２９）の枢動軸から離れていることを特徴とする、請求項１に記載の計時器表示機構（１００）。
【請求項１７】
前記第１の表示部材（１１）は、分表示部材であり、前記第２の表示部材（２１）は、時表示部材であることを特徴とする、請求項１に記載の計時器表示機構（１００）。
【請求項１８】
前記第１の表示部材（１１）は、時表示部材であり、前記第２の表示部材（２１）は、ＡＭ／ＰＭ又は昼／夜又は日付表示部材であることを特徴とする、請求項１に記載の計時器表示機構（１００）。
【請求項１９】
前記第１の表示部材（１１）は、ＡＭ／ＰＭ又は昼／夜又は日付表示部材であり、前記第２の表示部材（２１）は、月又は太陰月表示部材であることを特徴とする、請求項１に記載の計時器表示機構（１００）。
【請求項２０】
前記第１の表示部材（１１）は、月又は太陰月表示部材であり、前記第２の表示部材（２１）は、年表示部材であることを特徴とする、請求項１に記載の計時器表示機構（１００）。
【請求項２１】
前記表示機構（１００）は、中間摩擦車を含む日付表示器を含み、前記中間摩擦車は、前記駆動車セット（３０）と前記第１のカム（３４）との間の前記列内に組み込まれることを特徴とする、請求項３に記載の計時器表示機構（１００）。
【請求項２２】
請求項１に記載の少なくとも１つの計時器表示機構（１００）を含み、前記第１の逆行駆動手段（１０）を駆動するように構成した入力車セット（３０）を含む計時器ムーブメント（５００）。
【請求項２３】
請求項２２に記載のムーブメント（５００）、並びに／又は請求項１に記載の少なくとも１つの表示機構（１００）及び前記表示機構（１００）の入力車セット（３０）を駆動するように構成した計時器ムーブメント（５００）を含む時計（１０００）。
【発明の詳細な説明】
【技術分野】
【０００１】
本発明は、第１の規模２を表示する第１の表示部材のための少なくとも１つの逆行駆動手段、及び第２の規模を表示する第２の表示部材のための第２の逆行駆動手段を含む計時器表示機構に関し、前記第１の逆行駆動手段は、第１の駆動ラックを含み、第１の駆動ラックは、前記第１の表示部材を駆動する第１の車セット上に、第１の戻しラックによって加えられる抵抗力とは反対の力を直接又は間接的に加えるように構成し、前記第２の逆行駆動手段は、第２の駆動ラックを含み、第２の駆動ラックは、前記第２の表示部材を駆動する第２の車セット上に、第２の戻しラックによって加えられる抵抗力とは反対の力を直接又は間接的に加えるように構成する。
【０００２】
本発明は、そのような表示機構を含む計時器ムーブメントにも関する。
【０００３】
本発明は、そのような計時器ムーブメント及び／又はそのような表示機構を含む計時器、特に時計にも関する。
【０００４】
本発明は、計時器、特に時計のためのレトログラード表示機構の分野に関する。
【背景技術】
【０００５】
逆行表示機構は、測時法において普及している複雑機構であり、逆行表示機構は、複数の個別の表示部を、それぞれがはっきりと見えたまま、文字板上に配置することを可能にする。
【０００６】
しかし、逆行表示機構は、時計ケースの内側で広い体積をかなり占有するものであり、逆行表示機構を満足に収容し、様々な規模の表示を論理的に並列した状態で表示をユーザに供給することが常に可能というわけではない。
【０００７】
ＬＯＮＧＩＮＥＳ名義の特許文献１は、時間に関連する規模を表示するデバイスのための２方向修正器機構を備える計時器を開示しており、この表示デバイスは、制御レバーによって作動され、制御レバーは、カムによって制御され、カムの上に制御レバーが載置されている。計時器は、制御巻真によって作動される修正部材を含み、制御巻真は、表示デバイス修正段階において、戻しレバーを介して制御レバーを移動させ、カム経路から離すことを可能にする。制御レバーは、計時器の通常の動作モードでは、通常、このカム経路上に載置されている。
【先行技術文献】
【特許文献】
【０００８】
【特許文献１】欧州特許出願第ＥＰ１９１８７９２Ａ１号
【発明の概要】
【発明が解決しようとする課題】
【０００９】
本発明は、いくつかの逆行表示の組合せの発展を提案するものであり、この組合せは、時計ケース内側の利用可能な体積部に容易に適合可能であり、中程度の費用の通常の構成要素に依拠する一方で、必要とする可能な厚さは最小である。
【課題を解決するための手段】
【００１０】
この目的で、本発明は、請求項１に記載の計時器表示機構に関する。
【００１１】
本発明は、そのような表示機構を含む計時器ムーブメントにも関する。
【００１２】
本発明は、そのような計時器ムーブメント及び／又はそのような表示機構を含む計時器、特に時計にも関する。
【００１３】
本発明の他の特徴及び利点は、添付の図面を参照しながら以下の詳細な説明を読めば明らかになるであろう。
【図面の簡単な説明】
【００１４】
【図１】本発明による逆行表示機構の概略平面図であり、特定の適用例における、分を表示する第１の連続式逆行機構、及び時を表示する第２の跳躍逆行機構に対する図である。
【図２】図１の様々な枢動軸に接近した、図１の機構の概略部分断面図である。
【図３】本発明による時計の第１の変形形態の概略平面図である。
【図４】本発明による時計の第２の変形形態の概略平面図である。
【図５】そのような表示機構を駆動するそのような計時器ムーブメントを含む時計を示すブロック図である。
【発明を実施するための形態】
【００１５】
本発明は、計時器１０００、より詳細には時計のための計時器表示機構１００に関する。
【００１６】
この表示機構１００は、第１の規模を表示する第１の表示部材１１のための少なくとも１つの第１の逆行駆動手段１０、及び第２の規模を表示する第２の表示部材２１のための第２の逆行駆動手段２０を含む。
【００１７】
第１の規模が分であり、第２の規模が時である非限定的な変形形態に関し、本発明を図示する。
【００１８】
第１の逆行駆動手段１０は、第１の駆動ラック１２を含み、第１の駆動ラック１２は、第１の表示部材１１を駆動する第１の車セット１６上に、第１の戻しラック１７によって加えられる抵抗力とは反対の力を直接又は間接的に加えるように構成する。
【００１９】
第２の逆行駆動手段２０は、第２の駆動ラック２６を含み、第２の駆動ラック２６は、第２の表示部材２１を駆動する第２の車セット２１０上に、第２の戻しラック２９によって加えられる抵抗力とは反対の力を直接又は間接的に加えるように構成する。
【００２０】
特に、図でわかるように、第１の車セット１６及び第２の車セット２１０は、枢動軸Ｄ０に沿って同軸である。より更に詳細には、第１の車セット１６及び第２の車セット２１０は、計時器ムーブメント５００内に含まれる筒カナと同軸であり、計時器ムーブメント５００は、表示機構１００を駆動するように構成するか、又は計時器ムーブメント５００内に、同じ枢動軸Ｄ０に沿って表示機構１００が組み込まれる。
【００２１】
本発明によれば、第１の駆動ラック１２の枢動軸は、第１の戻しラック１７の枢動軸から離れている、及び／又は第２の駆動ラック２６の枢動軸は、第２の戻しラック２９の枢動軸から離れている。
【００２２】
図示の変形形態では、第１の分駆動ラック１２の枢動軸Ｄ１は、第１の分戻しラック１２の枢動軸Ｄ６から離れており、第２の時駆動ラック２６の枢動軸は、第２の時戻しラック２９の枢動軸Ｄ２と一致している。
【００２３】
より詳細には、図１及び図２からわかるように、第１の駆動ラック１２は、第１の車セット１６上に、第１の中間逆転器１５を介して、第１の戻しラック１７によって第１の車セット１６上に直接加えられる抵抗力とは反対の力を間接的に加えるように構成し、第１の中間逆転器１５は、枢動軸Ｄ５を有し、第１の車セット１６と嵌合する。
【００２４】
図示の変形形態では、第２の駆動ラック２６は、第２の表示部材２１を駆動する第２の車セット２１０上に、第２の戻しラック２９によって加えられる抵抗力とは反対の力を直接加えるように構成する。
【００２５】
別の図示しない変形形態では、第１の駆動ラック１２は、第１の車セット１６上に、第１の中間戻し逆転器を介して第１の車セット１６上に間接的に加えられる抵抗力とは反対の力を直接加えるように構成し、第１の中間戻し逆転器は、第１の戻しラック１７を介して第１の車セット１６と嵌合する。
【００２６】
更に別の図示しない変形形態では、第２の駆動ラック２６は、第２の車セット２１０上に、第２の中間逆転器を介して、第２の戻しラック２９によって第２の車セット２１０上に直接加えられる抵抗力とは反対の力を間接的に加えるように構成し、第２の中間逆転器は、第２の車セット２１０と嵌合する。
【００２７】
更に別の図示しない変形形態では、第２の駆動ラック２６は、第２の車セット２１０上に、第２の中間戻し逆転器を介して第２の車セット２１０上に間接的に加えられる抵抗力とは反対の力を直接加えるように構成し、第２の中間戻し逆転器は、第２の戻しラック２９を介して第２の車セット２１０と嵌合する。
【００２８】
この図示の変形形態では、第１の駆動ラック１２の枢動軸Ｄ１は、第１の戻しラック１７の枢動軸Ｄ６から離れており、第１の車セット１６の枢動軸は、第１の駆動ラック１２の枢動軸Ｄ１と第１の戻しラック１７の枢動軸Ｄ６との間に位置する。
【００２９】
より更に詳細には、第１の駆動ラック１２は、第１の車セット１６上に、第１の中間逆転器１５を介して、第１の戻しラック１７によって第１の車セット１６上に直接加えられる抵抗力とは反対の力を間接的に加えるように構成し、第１の中間逆転器１５は、第１の車セット１６と嵌合し、第１の中間逆転器１５の枢動軸Ｄ５は、第１の駆動ラック１２の枢動軸Ｄ１と第１の戻しラック１７の枢動軸Ｄ６との間に位置する。
【００３０】
別の図示しない変形形態では、第２の駆動ラック２６の枢動軸は、第２の戻しラック２９の枢動軸から離れており、第２の車セット２１０の枢動軸は、第２の駆動ラック２６の枢動軸と第２の戻しラック２９の枢動軸との間に位置する。
【００３１】
更に別の図示しない変形形態では、第２の駆動ラック２６は、第２の車セット２１０上に、第２の中間逆転器を介して、第２の戻しラック２９によって第２の車セット２１０上に直接加えられる抵抗力とは反対の力を間接的に加えるように構成し、第２の中間逆転器は、第２の車セット２１０と嵌合し、第２の中間逆転器の枢動軸は、第２の駆動ラック２６の枢動軸と第２の戻しラック２９の枢動軸との間に位置する。
【００３２】
より詳細には、図示の非限定的な変形形態では、第１の逆行駆動手段１０は、第１の表示部材１１の連続式逆行移動を制御するように構成し、第２の逆行駆動手段２０は、第２の表示部材１２の跳躍逆行移動を制御するように構成する。
【００３３】
より詳細には、第１の逆行駆動手段１０は、第１の傾斜部３５を含む第１のカム３４を含み、第１の傾斜部３５は、第１の表示部材１１の第１の駆動方向の動作行程で第１の駆動ラック１２内に含まれる第１の触腕１４を駆動するように構成する。ここで、第１の触腕１４は、第１の駆動ラック１２の中間部が延在する全体方向に実質的に直交する腕の端部である。
【００３４】
この第１のカム３４は、第１の傾斜部３５の最大直径部上に、境界部３６を含み、境界部３６の後に、第１の駆動ラック１２を分離する凹部３７が続き、境界部３６は、戻しトルクにより第１の触腕１４が傾斜部３５の最小直径部に戻ることを可能にするように構成し、戻しトルクは、第１の戻しラック１７の遊休戻し行程の間、第１の戻しラック１７によって第１の駆動ラック１２上に間接的に加えられる。図１の変形形態では、第１のカム２３は、スネイル・カムである。
【００３５】
図のこの変形形態では、第１の逆行駆動手段１０は、第２の逆行駆動手段２０をクリック部により駆動するように構成する。このクリック部は、駆動爪１９を支持し、駆動爪１９は、遊休戻し行程の間、入力車セット２２を駆動するように構成し、入力車セット２２は、枢動軸Ｄ７を有し、第２の逆行駆動手段２０内に含まれる。
【００３６】
より詳細には、第１のカム３４は、駆動車セット３０から駆動し、駆動車セット３０は、ムーブメント５００によって駆動されるように構成するか、又は特に列を通してムーブメント５００内に含まれる。より詳細には、列は、第１の表示部材１１の位置の調節を可能にするように構成した少なくとも１つの摩擦接続部を含む。当然、第１の表示部材１１及び／又は第２の表示部材２１又は表示機構１００内に含まれるあらゆる他の表示部材の駆動列内に、同様の摩擦接続部を他の場所に挿入することができる。
【００３７】
図の変形形態では、列は、駆動車セット３０から、摩擦車３１及び摩擦車セット３２を含み、車３１は、枢動軸Ｄ４を有するカナ３３と嵌合し、カナ３３は、第１のカム３４を支持する。
【００３８】
特に、図１に示すように、第１の戻しラック１７は、駆動爪１９を支持し、駆動爪１９は、枢動し、戻しばね４３からトルクを受け、戻しばね４３は、第１の戻しラック１７に固定し、突起４４又は同様のものの上に載置される。この駆動爪１９は、星車を駆動するように構成し、星車は、入力車セット２２内に含まれ、第２の逆行駆動手段２０内に含まれる第２のカム２３を駆動回転するように構成する。
【００３９】
より詳細には、第２のカム２３は、第２の傾斜部を含み、第２の傾斜部は、第２の表示部材１２の第１の駆動方向の動作行程で第２の駆動ラック２６内に含まれる第２の触腕２７を駆動するように構成する。ここで、第２の触腕２７は、第２の駆動ラック２６の中間部が延在する全体方向に対して約６０°で傾斜する腕の端部である。
【００４０】
この第２のカム２３は、第２の傾斜部の最大直径部上に、境界部２４を含み、境界部２４の後に、第２の駆動ラック２６を分離する凹部２５が続き、境界部２４は、戻しトルクにより第２の触腕２７が傾斜部３５の最小直径部に戻ることを可能にするように構成し、戻しトルクは、第１の戻しラック１７の遊休戻し行程の間、第１の戻しラック１７によって第１の駆動ラック１２上に間接的に加えられる。
【００４１】
手短に言えば、駆動爪１９は、遊休戻し行程の間、入力車セット２２に結合され、動作行程の間、入力車セット２２から分離される。
【００４２】
一変形形態では、図１からわかるように、第２のカム２３は、第２の傾斜部が平滑なスネイル・カムである。
【００４３】
別の図示しない変形形態では、第２のカム２３の第２の傾斜部は、第２の規模の各単位のための段を有する段付きカムである。
【００４４】
より詳細には、第１の戻しラック１７は、第１の押さえばね４１によって加えられる戻しトルクを永続的に受け、第１の押さえばね４１は、例えば、突起又は第１のピン４２上に載置される。より詳細には、第２の戻しラック２９は、第２の押さえばね４７によって加えられる戻しトルクを永続的に受け、第２の押さえばね４７は、第２のピン４８又は同様のものの上に載置される。
【００４５】
非図示の変形形態では、第１の駆動ラック１２の枢動軸は、第１の戻しラック１７の枢動軸から離れており、第２の駆動ラック２６の枢動軸も、第２の戻しラック２９の枢動軸から離れている。
【００４６】
非限定的な図示の変形形態は、第１の表示部材１１が分表示部材であり、第２の表示部材２１が時表示部材であるというケースに関する。
【００４７】
別の図示しない変形形態では、第１の表示部材１１は、時表示部材であり、第２の表示部材２１は、ＡＭ／ＰＭ又は昼／夜又は日付表示部材である。
【００４８】
更に別の図示しない変形形態では、第１の表示部材１１は、ＡＭ／ＰＭ又は昼／夜又は日付表示部材であり、第２の表示部材２１は、月又は太陰月表示部材である。
【００４９】
更に別の図示しない変形形態では、第１の表示部材１１は、月又は太陰月表示部材であり、第２の表示部材２１は、年表示部材である。
【００５０】
より詳細には、表示機構１００は、日付表示部を含み、日付表示部は、軸Ｄ３に沿って摩擦車３１及び摩擦車セット３２を有する中間摩擦車を含み、前記中間摩擦車は、駆動車セット３０と第１のカム３４との間の列内に組み込まれる。
【００５１】
この特定の例では、情報は、ムーブメントの筒カナから取得し、日付車の摩擦は、第１のカム３４の車セットのカナ３３まで中間車として使用する。この第１のカム３４は、３６０°回転し、ここでは約２５°の行程で第１の駆動ラック１２の第１の触腕１４を駆動する。第１の駆動ラック１２の歯部１３によって枢動軸Ｄ０上で表示部の中心に形成されるこの角度は、第１の中間車１５及び第１の車セット１６と組み合わせて、図３に示すように、１４０°の角度規模にわたり分を表示する。したがって、分表示は、第１の戻しラック１７により、連続的で、逆行して戻される。
【００５２】
第１の戻しラック１７は、駆動分車により準備状態にされ、第１の戻しラック１７に埋め込まれたクリック部は、逆行時星車２２が準備状態である際、クリック部を駆動することなく逆行時星車２２上で解放される。６０分周期の後、第１の戻しラック１７が降下すると、第１の戻しラック１７に埋め込まれたクリック部を駆動し、クリック部の駆動爪１９は、星車２２に当たり、星車２２への回転を加える。押さえばね４５と組み合わせた押さえ４６は、星車２２が回転した後、星車２２を適切な位置で保持する。各跳躍に関し、ここでは１２の歯を有する星車２２は、１２分の１回転で回転する。枢動軸Ｄ２に沿って第２の戻しラック２９と同軸である第２の駆動ラック２６は、第２のカム２３から情報を取得し、第２のカム２３は、第２の駆動ラック２６の第２の触腕２７を介して時車２２と一体に枢動し、１４０°表示部上で各時間を正確に表示する。時表示は、跳躍逆行表示である。
【００５３】
本発明は、この種の少なくとも１つのそのような表示機構１００を含む計時器ムーブメント５００にも関する。より詳細には、このムーブメント５００は、第１の逆行駆動手段１０を駆動するように構成した入力車セット３０を含む。
【００５４】
本発明は、そのようなムーブメント５００及び／又はそのような少なくとも１つの表示機構１００を含む計時器、特に、時計１０００にも関する。より詳細には、計時器ムーブメント５００は、表示機構１００の入力車セット３０を駆動するように構成する。
【符号の説明】
【００５５】
１０  第１の逆行駆動手段
１１  第１の表示部材
１２  第１の駆動ラック
１４  第１の触腕
１６  第１の車セット
１７  第１の戻しラック
１９  駆動爪
２０  第２の逆行駆動手段
２１  第２の表示部材
２２  入力車セット
２６  第２の駆動ラック
２９  第２の戻しラック
３４  第１のカム
３５  第１の傾斜部
３６  境界部
３７  凹部
１００  計時器表示機構
２１０  第２の車セット
【図１】
2019158883.tif 000003
【図２】
2019158883.tif 000004
【図３】
2019158883.tif 000005
【図４】
2019158883.tif 000006
【図５】
2019158883.tif 000007